(57)【要約】【課題】本発明の目的は、身体機能の未発達な小児、身体機能の衰えた高齢者、リハビリ期間中の人又は身体不自由者が、安心かつ快適に着用できる衣服又は帽子の製作を可能にすることである。【解決の手段】非伸縮性の織り生地からなる第１の布と、伸縮性を有する第２の布を拡張した状態で重ねあわせ、前記第２の布の拡張方向へ任意の間隔ごとに交差する方向へ固着させた後、前記第２の布の拡張を緩めることにより前記第１の布の表面に山波状の凹凸部が形成される。前記凹凸部を有する布は、伸縮性、可撓性、衝撃吸収性、形態安定性又は保温性を備えているので、身体機能の未発達な小児、身体機能の衰えた高齢者、リハビリ期間中の人又は身体不自由者が、安心かつ快適に着用できる衣服又は帽子の製作を可能にした。【選択図】  図１
2004162240.tif 000002
【特許請求の範囲】
【請求項１】
非伸縮性の織り生地からなる第１の布と、伸縮性を有する第２の布を拡張した状態で重ね合わせ、前記第２の布の拡張方向へ任意の間隔ごとに交差する方向へ固着させた後、前記第２の布の拡張を緩めることにより、前記第１の布の表面に山波状の凹凸部が形成されることを特徴とした布を有する衣服又は帽子。
【請求項２】
前記凹凸部は、前記第１の布と前記第２の布の固着部において前記第１の布の表面に凹部が形成され、固着部以外で凸部が形成されることを特徴とした請求項１記載の布を有する衣服又は帽子。
【請求項３】
前記凹凸部は、凸部において伸縮性を有することを特徴とした請求項１又は２記載の布を有する衣服又は帽子。
【請求項４】
前記凹凸部は、直線、曲線、点線又は点で固着することを特徴とした請求項１〜３のいずれか１項に記載の布を有する衣服又は帽子。
【請求項５】
前記凹凸部を身体屈曲部の一面又は複数面に設けたことを特徴とした請求項１〜４のいずれか１項に記載の布を有する衣服。
【請求項６】
前記凹凸部を頭部に設けたことを特徴とした請求項１〜４のいずれか１項に記載の布を有する帽子。
【発明の詳細な説明】
【０００１】
【発明の属する技術分野】
本発明は、衣服又は帽子に関するものである。
【０００２】
【従来の技術】
従来の衣服又はズボンに使用されている布の伸縮加工技術は、伸縮性を有する裏当て布を設け、かつ、その裏あて布の表側に縫いつける非伸縮性の布は、伸縮を要する方向に複数のひだが折り返すように繰り返されるひだ部とされ、さらにその各ひだの谷の部分が前記伸縮性の裏当ての布に縫いつけられている。（例えば、特許文献１参照）
【０００３】
従来の帽子のクラウン部に使用されている衝撃吸収技術は、外層、挟入層及び内層から構成され、前記挟入層は適度な厚みの弾性体によって構成されている。（例えば、特許文献２参照）
【０００４】
「特許文献１」
登録実用新案公報  実用新案登録第３０５６４９６号  （第２頁、第３図）
【０００５】
「特許文献２」
登録実用新案公報  実用新案登録第３０６７４１０号  （第２頁、第１図）
【０００６】
【発明が解決しようとする課題】
前記登録実用新案公報  第３０５６４９６号におけるズボン又はつなぎ服の伸縮加工は、ひだの重なり部しか伸縮しない。しかも伸縮部の両側端部が非伸縮性の布に縫いつけられている為、伸縮性に乏しく、伸縮部も限られてしまう。更に、複数のひだが折り返すように繰り返されている為、布が厚くなり重すぎて使用箇所が限定されてしまう。
【０００７】
前記登録実用新案公報  第３０６７４１０号における帽子は、クラウン部を外層、挟入層及び内層とし、前記挟入層に複数のプラスチック粒を熱融着接合させ適度な厚さの弾性体を構成することにより衝撃を吸収させようとしている。前記クラウン部は、３層構造で挟入層が必要なため厚くなりすぎ、弾性体を構成する材料が硬ければ、衝撃吸収性も、帽子の装着感も悪くなってしまう。更に、最も保護の必要な後頭部にサイズ調整のための係合帯を設けているのでクラウン部が欠けざるを得ない。
【０００８】
本発明の目的は、身体機能の未発達な小児、身体機能の衰えた人、高齢者、身体不自由者又はリハビリ期間中の人が安心かつ快適に着用できるよう工夫した衣服又は帽子を製作することである。
【０００９】
【問題を解決する手段】
本発明は、非伸縮性織り生地からなる第１の布と、伸縮性を有する第２の布を拡張した状態で重ね合わせ、前記第２の布の拡張方向へ任意の間隔ごとに交差する方向へ固着させた後、前記第２の布の拡張を緩めることにより、第１の布の表面に山波状の凹凸部が形成される。前記凹凸部は、固着部で凹部、固着部以外で凸部を形成し、凸部で強力な伸縮性を有している。前記加工技術は、非伸縮性の厚手の織り生地からなる布に強力な伸縮性を有することを可能とし、衣服又は帽子に用いると、身体屈曲部の可撓性、転倒時の衝撃吸収性、長時間使用に耐えられる形態安定性又は保温性の各機能に優れている。更に、前記第１の布を、衣服全体を構成する布と同一にすることができるため、全体的に統一感のあるデザインが得られ、身体屈曲部の一面又は複数面に違和感なく用いることが可能である。
身体機能の未発達な小児、身体機能の衰えた高齢者、リハビリ期間中の人又は身体不自由者は、転倒し易い。身体損傷の危険性も多く骨折も珍しくない。伸縮性に乏しい厚手の織り生地からなる布でできた衣服を着用すれば、身体屈曲部の可撓性が損なわれ、転倒の危険が増す。編み生地からなる布及び薄手の織り生地からなる布使用の衣服では、身体機能の低下した人にとって身体が冷え易く、転倒時の衝撃吸収性も乏しく着用し辛い。
前記凹凸部を有する布を使用すれば、身体機能の未発達な小児、身体機能の衰えた人、高齢者、身体不自由者及びリハビリ期間中の人が、安心かつ快適に衣服又は帽子を着用する事を可能にした。
【００１０】
【発明の実施の形態】
本発明の実施の形態を、実施例につき説明する。
図１〜４は、この発明の実施形態を示す衣服の図である。
図１〜４において、山波状の凹凸部を有する布を身体の屈曲部に使用した衣服の図である。凹凸部については後述する。
図１（ａ）、図１（ｂ）の上衣においては、首１、肩２、肘３又は脇４に使用している。１、４は布地の拡張方向を水平に配置している。２、３は布地の拡張方向を垂直に配置している。
図２（ａ）、図２（ｂ）のズボンにおいては、腹部５、腰部６、膝７又は足首８に使用している。５，６，８は、布地の拡張方向を水平に配置、７は布地の拡張方向を垂直に配置している。
図３のスカートにおいては、腹部９、腰部１０、膝１１に布地の拡張方向を水平に配置している。
図４の座位用ズボンにおいては、腹部１２、腰部１３、膝１４、足首１５に使用している。１２，１３，１５は布地の拡張方向を水平に配置、１４は布地の拡張方向を垂直に配置している。
凹凸部を有する布は、身体屈曲部の屈曲方向に応じて布地の拡張方向を水平又は垂直だけでなく任意の方向に配置することが可能である。更に、凹凸部の加工条件を変えることにより、伸縮性、可撓性、衝撃吸収性、保温性又は形態安定性の各機能設定が可能である。小児、高齢者、リハビリ期間中の人、及び身体不自由者の各個人の身体機能に応じた多彩な布の組み合わせが可能となり、装飾性にも優れ、長時間安心して快適に着用できる衣服の提供を可能にした。
【００１１】
図５（ａ）、図５（ｂ）は、この発明の実施形態を示す帽子の図である。
図において、凹凸部を有する布を、帽子のクラウン部全面に使用している。１６は布地の拡張方向を垂直に配置したものであり、１７は布地の拡張方向を水平に配置したものである。１６と１７を交互に配置することにより、クラウン部全体が、垂直方向又は水平方向の伸縮性を有する。帽子のサイズ調整の係合帯が不必要になり、最も保護の必要な後頭部を覆うことができる。さらに、クラウン部に衝撃吸収材を挟入する必要がなく、帽子の装着性が良くなり、長時間快適な着用が可能になる。
【００１２】
図６〜１０は、この発明の実施形態を示す山波状の凹凸部を構成する布の図である。
図６は、非伸縮性の織り生地からなる第１の布Ａと、伸縮性を有する第２の布Ｂを拡張した状態で重ねあわせ、前記第２の布Ｂの拡張方向へ任意の間隔ごとに交差する方向へ固着させた後、前記第２の布の拡張を緩めることにより、前記第１の布Ａの表面に山波状の凹凸部Ｏ，Ｔが形成された図である。固着部Ｋで凹部Ｏを、固着部以外で凸部Ｔを形成する。固着部は直線、曲線、点線又は点により構成される。固着方法は縫合、接着又は溶着による。
前記第２の布Ｂの使用する材料、固着方法、固着部Ｋの間隔、前記拡張方向に対する固着角度を各々変えることより山波状の凹凸部Ｏ，Ｔの起伏に多彩な変化をもたらし、凹部の間隔Ｗ、凸部の間隔Ｐ及び高さＨの形状変化が可能である。凹凸部Ｏ，Ｔの形状を変えることにより、伸縮性、可撓性、衝撃吸収性、保温性又は形態安定性の機能の調整が可能であり、小児、高齢者、リハビリ期間中の人又は身体不自由者の各個人の身体機能に応じた多彩な布の組み合わせが可能となる。
【００１３】
図７は、非伸縮性の織り生地からなる第１の布Ａと、伸縮性を有する第２の布Ｂの図である。
【００１４】
図８は、非伸縮性の織り生地からなる第１の布Ａと、伸縮性を有する第２の布Ｂを拡張した状態で重ね合わせ固着した図である。
【００１５】
図９は、前記第２の布の拡張を緩めることにより、前記第１の布Ａの表面に山波状の凹凸部が形成された図である。
【００１６】
図１０は、図９の斜視図である。
凹凸部Ｏ，Ｔは、拡張方向に対して所定の角度を成して交差している為、起伏に富み強力な伸縮性を有している。伸縮性の異なる前記第２の布Ｂを連続的に配置することにより、前記第１の布Ａの表面に形成される凹凸部Ｏ，Ｔの形状を変えることが可能である。更に前記両布Ａ，Ｂの固着方法、固着間隔、固着角度を各々変えることによっても、前記第１の布Ａの表面に形成される凹凸部Ｏ，Ｔの形状が異なり、伸縮性、可撓性、衝撃吸収性、形態安定性又は保温性の各機能を変えることが可能となる。
【発明の効果】
前記のように、本発明の凹凸部を形成した布を、身体の屈曲部の一面又は複数面に使用することにより、身体機能の未発達な小児、身体機能の衰えた高齢者、リハビリ期間中の人又は身体不自由者が、安心かつ快適に着用できる衣服又は帽子の製作を可能にした。
【図面の簡単な説明】
【図１】本発明の一実施例を示す上着の正面図（ａ）及び背面図（ｂ）である。
【図２】本発明の一実施例を示すズボンの正面図（ａ）及び背面図（ｂ）である。
【図３】本発明の一実施例を示すスカートの正面図である。
【図４】本発明の一実施例を示す座位用ズボンの側面図である。
【図５】本発明の一実施例を示す帽子の側面図（ａ）及び正面図（ｂ）である。
【図６】本発明の一実施例を示す山波状の凸凹部を有する布の構成を示す断面図である。
【図７】本発明の一実施例を示す非伸縮性の織り生地からなる布の平面図（ａ）と伸縮性を有する布の平面図（ｂ）である。
【図８】本発明の一実施例を示す非伸縮性の織り生地からなる布に伸縮性を有する布を拡張した状態で重ね合わせた後固着した状態の平面図である。
【図９】本発明の一実施例を示す非伸縮性の織り生地からなる布と伸縮性を有する布を拡張した状態で重ね合わせた後固着し、伸縮性を有する布の拡張を緩めた状態の平面図である。
【図１０】山波状の凸凹部を有する布の構成を示す斜視図である。
【符号の説明】
１  上衣首
２  上衣肩
３  上衣肘
４  上衣脇
５  ズボン腹部
６  ズボン腰部
７  ズボン膝
８  ズボン足首
９  スカート腹部
１０  スカート腰部
１１  スカート膝
１２  座位用ズボン腹部
１３  座位用ズボン腰部
１４  座位用ズボン膝
１５  座位用ズボン足首
１６  帽子クラウン部垂直方向伸縮部
１７  帽子クラウン部水平方向伸縮部
Ａ  非伸縮性織り生地からなる布
Ｂ  伸縮性を有する布
Ｈ  凸凹部高さ
Ｋ  固着部
Ｏ  凹部
Ｐ  凸部間隔
Ｔ  凸部
Ｗ  凹部間隔
【図１】
2004162240.tif 000003
【図２】
2004162240.tif 000004
【図３】
2004162240.tif 000005
【図４】
2004162240.tif 000006
【図５】
2004162240.tif 000007
【図６】
2004162240.tif 000008
【図７】
2004162240.tif 000009
【図８】
2004162240.tif 000010
【図９】
2004162240.tif 000011
【図１０】
2004162240.tif 000012